(57)【要約】  携帯電話機が、ユーザに対して正しいＨＳＤＰＡ対応セル在圏、Ｅ−ＤＣＨ対応セル在圏の情報を通知可能な移動体通信システムを提供する。  携帯電話機１には携帯電話基地局装置２から全てのＲｅｃｏｎｆｉｇｕｒａｔｉｏｎメッセージに、“ＨＳＤＰＡ  Ｃｅｌｌ  Ｉｎｄｉｃａｔｏｒ”、“Ｅ−ＤＣＨ  Ｃｅｌｌ  Ｉｎｄｉｃａｔｏｒ”を含めた形で通知される。携帯電話機１は、個別チャネル通信中にセルＡからセルＢへ移動した場合、セルＢにおける“ＨＳＤＰＡ  Ｃｅｌｌ  Ｉｎｄｉｃａｔｏｒ”、“Ｅ−ＤＣＨ  Ｃｅｌｌ  Ｉｎｄｉｃａｔｏｒ”を“Ｐｈｙｓｉｃａｌ  Ｃｈａｎｎｅｌ  Ｒｅｃｏｎｆｉｇｕｒａｔｉｏｎ”メッセージから判別し、画面上に、在圏セルがＨＳＤＰＡやＥ−ＤＣＨ（ＨＳＵＰＡ）対応のセルかどうかのピクト表示を行う。
2008023723.tif 000002
【特許請求の範囲】
【請求項１】
基地局装置から携帯電話機への報知情報にて前記基地局装置が管理するセルのサービス対応情報を当該携帯電話機に通知する移動体通信システムであって、
前記携帯電話機の状態を遷移する時に前記基地局装置を通して通知されるメッセージに前記セルのサービス対応情報を付加して当該携帯電話機に通知することを特徴とする移動体通信システム。
【請求項２】
前記携帯電話機は、前記メッセージから前記セルのサービス対応情報を判別する手段と、その判別して得た前記セルのサービス対応を画面上に表示する手段とを含むことを特徴とする請求項１記載の移動体通信システム。
【請求項３】
前記セルのサービス対応を画面上に表示する手段は、前記セルのサービス対応を前記画面上に少なくとも絵文字を用いてピクト表示することを特徴とする請求項２記載の移動体通信システム。
【請求項４】
前記メッセージは、少なくとも前記携帯電話機の状態を遷移する場合、物理チャネルとトランスポートチャネルと論理チャネルとを少なくとも含む無線チャネルのパラメータ変更を実施する場合、ハンドオーバを指定する場合に、前記基地局装置から前記携帯電話機に通知されるＲｅｃｏｎｆｉｇｕｒａｔｉｏｎメッセージであることを特徴とする請求項１から請求項３のいずれか記載の移動体通信システム。
【請求項５】
前記メッセージは、前記基地局装置を管理する無線ネットワーク制御装置から前記基地局装置を通して前記携帯電話機に通知されるメッセージに適用可能としたことを特徴とする請求項４記載の移動体通信システム。
【請求項６】
前記セルのサービス対応情報は、少なくとも前記携帯電話機がＨＳＤＰＡ（Ｈｉｇｈ  Ｓｐｅｅｄ  Ｄｏｗｎｌｉｎｋ  Ｐａｃｋｅｔ  Ａｃｃｅｓｓ）及びＥ−ＤＣＨ（Ｅｎｈａｎｃｅｄ−Ｄｅｔｅｃｔｅｄ  Ｃｈａｎｎｅｌ）対応のセルに在圏しているか否かを示すインディケータであることを特徴とする請求項１から請求項５のいずれか記載の移動体通信システム。
【請求項７】
前記報知情報は、“Ｓｙｓｔｅｍ  Ｉｎｆｏｒｍａｔｉｏｎ  Ｂｌｏｃｋ  Ｔｙｐｅ５”及び“Ｓｙｓｔｅｍ  Ｉｎｆｏｒｍａｔｉｏｎ  Ｂｌｏｃｋ  Ｔｙｐｅ５  ｂｉｓ”のいずれかであることを特徴とする請求項１から請求項６のいずれか記載の移動体通信システム。
【請求項８】
基地局装置から携帯電話機への報知情報にて前記基地局装置が管理するセルのサービス対応情報を当該携帯電話機に通知するシステムにおいて前記基地局装置を管理する無線ネットワーク制御装置であって、
前記携帯電話機の状態を遷移する時にその遷移にかかわる基地局装置と前記セルのサービスとの対応を判定する手段と、前記基地局装置が前記セルのサービスに対応していると判定された時に当該基地局装置を通して前記携帯電話機に通知するメッセージに当該基地局装置の前記セルのサービス対応情報を付加して当該携帯電話機に通知する手段とを有することを特徴とする無線ネットワーク制御装置。
【請求項９】
前記メッセージは、少なくとも前記携帯電話機の状態を遷移する場合、物理チャネルとトランスポートチャネルと論理チャネルとを少なくとも含む無線チャネルのパラメータ変更を実施する場合、ハンドオーバを指定する場合に、前記基地局装置を通して前記携帯電話機に通知されるＲｅｃｏｎｆｉｇｕｒａｔｉｏｎメッセージであることを特徴とする請求項８記載の無線ネットワーク制御装置。
【請求項１０】
前記セルのサービス対応情報は、少なくとも前記携帯電話機がＨＳＤＰＡ（Ｈｉｇｈ  Ｓｐｅｅｄ  Ｄｏｗｎｌｉｎｋ  Ｐａｃｋｅｔ  Ａｃｃｅｓｓ）及びＥ−ＤＣＨ（Ｅｎｈａｎｃｅｄ−Ｄｅｔｅｃｔｅｄ  Ｃｈａｎｎｅｌ）対応のセルに在圏しているか否かを示すインディケータであることを特徴とする請求項８または請求項９記載の無線ネットワーク制御装置。
【請求項１１】
前記報知情報は、“Ｓｙｓｔｅｍ  Ｉｎｆｏｒｍａｔｉｏｎ  Ｂｌｏｃｋ  Ｔｙｐｅ５”及び“Ｓｙｓｔｅｍ  Ｉｎｆｏｒｍａｔｉｏｎ  Ｂｌｏｃｋ  Ｔｙｐｅ５  ｂｉｓ”のいずれかであることを特徴とする請求項８から請求項１０のいずれか記載の無線ネットワーク制御装置。
【請求項１２】
基地局装置からの報知情報にて当該基地局装置が管理するセルのサービス対応情報が通知される携帯電話機であって、
自機の状態を遷移する時に前記基地局装置から通知されるメッセージに付加されたサービス対応情報から前記セルのサービス対応を判別する手段と、その判別にて得た前記セルのサービス対応を画面上に表示する手段とを有することを特徴とする携帯電話機。
【請求項１３】
前記セルのサービス対応を画面上に表示する手段は、前記セルのサービス対応を前記画面上に少なくとも絵文字を用いてピクト表示することを特徴とする請求項１２記載の携帯電話機。
【請求項１４】
前記メッセージは、少なくとも前記携帯電話機の状態を遷移する場合、物理チャネルとトランスポートチャネルと論理チャネルとを少なくとも含む無線チャネルのパラメータ変更を実施する場合、ハンドオーバを指定する場合に、前記基地局装置から通知されるＲｅｃｏｎｆｉｇｕｒａｔｉｏｎメッセージであることを特徴とする請求項１２または請求項１３記載の携帯電話機。
【請求項１５】
前記メッセージは、前記基地局装置を管理する無線ネットワーク制御装置から前記基地局装置を通して通知されるメッセージに適用可能としたことを特徴とする請求項１４記載の携帯電話機。
【請求項１６】
前記セルのサービス対応情報は、少なくとも自機がＨＳＤＰＡ（Ｈｉｇｈ  Ｓｐｅｅｄ  Ｄｏｗｎｌｉｎｋ  Ｐａｃｋｅｔ  Ａｃｃｅｓｓ）及びＥ−ＤＣＨ（Ｅｎｈａｎｃｅｄ−Ｄｅｔｅｃｔｅｄ  Ｃｈａｎｎｅｌ）対応のセルに在圏しているか否かを示すインディケータであることを特徴とする請求項１２から請求項１５のいずれか記載の携帯電話機。
【請求項１７】
前記報知情報は、“Ｓｙｓｔｅｍ  Ｉｎｆｏｒｍａｔｉｏｎ  Ｂｌｏｃｋ  Ｔｙｐｅ５”及び“Ｓｙｓｔｅｍ  Ｉｎｆｏｒｍａｔｉｏｎ  Ｂｌｏｃｋ  Ｔｙｐｅ５  ｂｉｓ”のいずれかであることを特徴とする請求項１２から請求項１６のいずれか記載の携帯電話機。
【請求項１８】
基地局装置から携帯電話機への報知情報にて前記基地局装置が管理するセルのサービス対応情報を当該携帯電話機に通知する移動体通信システムに用いるセル在圏表示方法であって、
前記携帯電話機の状態を遷移する時に前記基地局装置から通知されるメッセージに前記セルのサービス対応情報を付加して当該携帯電話機に通知することを特徴とするセル在圏表示方法。
【請求項１９】
前記携帯電話機が、前記メッセージから前記セルのサービス対応を判別する処理と、その判別にて得た前記セルのサービス対応を画面上に表示する処理とを実行することを特徴とする請求項１８記載のセル在圏表示方法。
【請求項２０】
前記携帯電話機が、前記セルのサービス対応を画面上に表示する処理において、前記セルのサービス対応を前記画面上に少なくとも絵文字を用いてピクト表示することを特徴とする請求項１９記載のセル在圏表示方法。
【請求項２１】
前記メッセージは、少なくとも前記携帯電話機の状態を遷移する場合、物理チャネルとトランスポートチャネルと論理チャネルとを少なくとも含む無線チャネルのパラメータ変更を実施する場合、ハンドオーバを指定する場合に、前記基地局装置から前記携帯電話機に通知されるＲｅｃｏｎｆｉｇｕｒａｔｉｏｎメッセージであることを特徴とする請求項１８から請求項２０のいずれか記載のセル在圏表示方法。
【請求項２２】
前記メッセージは、前記基地局装置を管理する無線ネットワーク制御装置から前記基地局装置を通して前記携帯電話機に通知されるメッセージに適用可能としたことを特徴とする請求項２１記載のセル在圏表示方法。
【請求項２３】
前記セルのサービス対応情報は、少なくとも前記携帯電話機がＨＳＤＰＡ（Ｈｉｇｈ  Ｓｐｅｅｄ  Ｄｏｗｎｌｉｎｋ  Ｐａｃｋｅｔ  Ａｃｃｅｓｓ）及びＥ−ＤＣＨ（Ｅｎｈａｎｃｅｄ−Ｄｅｔｅｃｔｅｄ  Ｃｈａｎｎｅｌ）対応のセルに在圏しているか否かを示すインディケータであることを特徴とする請求項１８から請求項２２のいずれか記載のセル在圏表示方法。
【請求項２４】
前記報知情報は、“Ｓｙｓｔｅｍ  Ｉｎｆｏｒｍａｔｉｏｎ  Ｂｌｏｃｋ  Ｔｙｐｅ５”及び“Ｓｙｓｔｅｍ  Ｉｎｆｏｒｍａｔｉｏｎ  Ｂｌｏｃｋ  Ｔｙｐｅ５  ｂｉｓ”のいずれかであることを特徴とする請求項１８から請求項２３のいずれか記載のセル在圏表示方法。
【発明の詳細な説明】
【技術分野】
【０００１】
本発明は移動体通信システム、無線ネットワーク制御装置、携帯電話機及びそれらに用いるセル在圏表示方法に関し、特にＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応セル、Ｅ−ＤＣＨ（Ｅｎｈａｎｃｅｄ−Ｄｅｔｅｃｔｅｄ  Ｃｈａｎｎｅｌ）対応セルの在圏表示に関する。
【背景技術】
【０００２】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）等の移動体通信システムにおいては、携帯電話機のユーザに対し、現在、ユーザがＨＳＤＰＡやＥ−ＤＣＨ（ＨＳＵＰＡ：Ｈｉｇｈ  Ｓｐｅｅｄ  Ｕｐｌｉｎｋ  Ｐａｃｋｅｔ  Ａｃｃｅｓｓ）対応のセルに在圏しているか否かを判別するインディケータ（ｉｎｄｉｃａｔｏｒ）として報知情報（Ｓｙｓｔｅｍ  Ｉｎｆｏｒｍａｔｉｏｎ  Ｂｌｏｃｋ  Ｔｙｐｅ  ５、もしくはＳｙｓｔｅｍ  Ｉｎｆｏｒｍａｔｉｏｎ  Ｂｌｏｃｋ  Ｔｙｐｅ  ５ｂｉｓ）によってＨＳＤＰＡ  Ｃｅｌｌ  Ｉｎｄｉｃａｔｏｒ、Ｅ−ＤＣＨ  Ｃｅｌｌ  Ｉｎｄｉｃａｔｏｒが通知されている（例えば、非特許文献１参照）。【０００３】
携帯電話機はこのインディケータがＴｒｕｅ（真）であるか否かを判別し、画面上にＨＳＤＰＡ対応セル在圏なのか、Ｅ−ＤＣＨ対応セル在圏なのかを示すピクトを表示している。携帯電話機におけるアプリケーションの実装にもよるが、ＨＳＤＰＡ／Ｅ−ＤＣＨ対応のセルに在圏しているのであれば、ＨＳＤＰＡ／Ｅ−ＤＣＨに対応したパケットのビットレートを設定したＱｏＳ（Ｑｕａｌｉｔｙ  ｏｆ  Ｓｅｒｖｉｃｅ）を指定した形で、パケット呼の確立要求を出すことが可能となる。【０００４】
言い換えると、ＨＳＤＰＡ／Ｅ−ＤＣＨ未対応のセルに在圏しているのであれば、３ＧＰＰ（３ｒｄ  Ｇｅｎｅｒａｔｉｏｎ  Ｐａｒｔｎｅｒｓｈｉｐ  Ｐｒｏｊｅｃｔ）  ＳｐｅｃｉｆｉｃａｔｉｏｎのＲｅｌｅａｓｅ９９が対応したビットレートを設定したＱｏＳを指定した形で、パケット呼の確立要求を出すことができる。
【非特許文献１】“Ｒａｄｉｏ  Ｒｅｓｏｕｒｃｅ  Ｃｏｎｔｒｏｌ（ＲＲＣ）；Ｐｒｏｔｏｃｏｌ  Ｓｐｅｃｉｆｉｃａｔｉｏｎ（Ｒｅｌｅａｓｅ  ７）  １０．２．４８．８．８  Ｓｙｓｔｅｍ  Ｉｎｆｏｒｍａｔｉｏｎ  Ｂｌｏｃｋ  Ｔｙｐｅ  ５  ａｎｄ  ５ｂｉｓ”［３ＧＰＰ  ＴＳ  ２５．３３１  ｖ７．１１．０（２００６−０６）］
【発明の開示】
【発明が解決しようとする課題】
【０００５】
しかしながら、上述した従来の移動体通信システムでは、携帯電話機において個別チャネル（ＤＣＨ：Ｄｅｔｅｃｔｅｄ  Ｃｈａｎｎｅｌ）使用時に報知情報を取得することができないため、ハンドオーバ等の処理によって、携帯電話機が別のセルに移動した場合、移動先においてＨＳＤＰＡ対応セル在圏なのか、Ｅ−ＤＣＨ対応セル在圏なのかを識別するための識別子が存在しない。【０００６】
そこで、本発明の目的は上記の問題点を解消し、携帯電話機が、報知情報を受信することが可能な待ち受け状態や共通チャネル使用時だけでなく、個別チャネル使用時にセルを移動した場合にも、ユーザに対して正しいＨＳＤＰＡ対応セル在圏、Ｅ−ＤＣＨ対応セル在圏の情報を通知することができる移動体通信システム、無線ネットワーク制御装置、携帯電話機及びそれらに用いるセル在圏表示方法を提供することにある。
【課題を解決するための手段】
【０００７】
本発明による移動体通信システムは、基地局装置から携帯電話機への報知情報にて前記基地局装置が管理するセルのサービス対応情報を当該携帯電話機に通知する移動体通信システムであって、
前記携帯電話機の状態を遷移する時に前記基地局装置から通知されるメッセージに前記セルのサービス対応情報を付加して当該携帯電話機に通知している。【０００８】
本発明による無線ネットワーク制御装置は、基地局装置から携帯電話機への報知情報にて前記基地局装置が管理するセルのサービス対応情報を当該携帯電話機に通知するシステムにおいて前記基地局装置を管理する無線ネットワーク制御装置であって、
前記携帯電話機の状態を遷移する時にその遷移にかかわる基地局装置と前記セルのサービスとの対応を判定する手段と、前記基地局装置が前記セルのサービスに対応していると判定された時に当該基地局装置を通して前記携帯電話機に通知するメッセージに当該基地局装置の前記セルのサービス対応情報を付加して当該携帯電話機に通知する手段とを備えている。【０００９】
本発明による携帯電話機は、基地局装置からの報知情報にて当該基地局装置が管理するセルのサービス対応情報が通知される携帯電話機であって、
自機の状態を遷移する時に前記基地局装置から通知されるメッセージに付加されたサービス対応情報から前記セルのサービス対応を判別する手段と、その判別にて得た前記セルのサービス対応を画面上に表示する手段とを備えている。【００１０】
本発明によるセル在圏表示方法は、基地局装置から携帯電話機への報知情報にて前記基地局装置が管理するセルのサービス対応情報を当該携帯電話機に通知する移動体通信システムに用いるセル在圏表示方法であって、
前記携帯電話機の状態を遷移する時に前記基地局装置から通知されるメッセージに前記セルのサービス対応情報を付加して当該携帯電話機に通知している。【００１１】
すなわち、本発明の移動体通信システムは、ハンドオーバ等を指示するＲｅｃｏｎｆｉｇｕｒａｔｉｏｎメッセージに対して、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）  Ｃｅｌｌ  Ｉｎｄｉｃａｔｏｒ、Ｅ−ＤＣＨ（Ｅｎｈａｎｃｅｄ−Ｄｅｔｅｃｔｅｄ  Ｃｈａｎｎｅｌ）  Ｃｅｌｌ  Ｉｎｄｉｃａｔｏｒの情報を付加して携帯電話機に通知している。【００１２】
携帯電話機は、ネットワークから通知されたＨＳＤＰＡ  Ｃｅｌｌ  Ｉｎｄｉｃａｔｏｒ、Ｅ−ＤＣＨ  Ｃｅｌｌ  Ｉｎｄｉｃａｔｏｒから、画面上にＨＳＤＰＡ対応セル在圏なのか、Ｅ−ＤＣＨ（ＨＳＵＰＡ：Ｈｉｇｈ  Ｓｐｅｅｄ  Ｕｐｌｉｎｋ  Ｐａｃｋｅｔ  Ａｃｃｅｓｓ）対応セル在圏なのかを表示する。【００１３】
より具体的に説明すると、本発明の移動体通信システムでは、携帯電話機が、Ｒｅｃｏｎｆｉｇｕｒａｔｉｏｎメッセージを受信した時に、そのメッセージに格納されているＨＳＤＰＡ  Ｃｅｌｌ  ＩｎｄｉｃａｔｏｒやＥ−ＤＣＨ  Ｃｅｌｌ  Ｉｎｄｉｃａｔｏｒを判断する機能を備えている。【００１４】
また、携帯電話機は、ネットワークから通知されたＨＳＤＰＡ  Ｃｅｌｌ  ＩｎｄｉｃａｔｏｒやＥ−ＤＣＨ  Ｃｅｌｌ  Ｉｎｄｉｃａｔｏｒを確認し、もしＩｎｄｉｃａｔｏｒ  がＴｒｕｅ（真）であれば画面上に“ＨＳＤＰＡ対応セル在圏”、“Ｅ−ＤＣＨ対応セル在圏”にそれぞれ対応したピクト（ｐｉｃｔｏｇｒａｐｈ：絵文字または絵を使った図表）を表示する機能を備えている。【００１５】
本発明の移動体通信システムでは、Ｓｙｓｔｅｍ  Ｉｎｆｏｒｍａｔｉｏｎ  Ｂｌｏｃｋ  Ｔｙｐｅ  ５（もしくはＳｙｓｔｅｍ  Ｉｎｆｏｒｍａｔｉｏｎ  Ｂｌｏｃｋ  Ｔｙｐｅ  ５ｂｉｓ）だけではなく、ＲｅｃｏｎｆｉｇｕｒａｔｉｏｎメッセージにもＨＳＤＰＡ  Ｃｅｌｌ  Ｉｎｄｉｃａｔｏｒ、Ｅ−ＤＣＨ  Ｃｅｌｌ  Ｉｎｄｉｃａｔｏｒを格納し、携帯電話機に送信する機能を基地局装置に備えている。【００１６】
また、本発明の移動体通信システムでは、ＨＳＤＰＡ、Ｅ−ＤＣＨ（ＨＳＵＰＡ）のサービスのみに限らず、ネットワークが携帯電話機（ユーザ）に対して各セルの各種サービス対応情報を通知することにも適用可能である。【００１７】
これによって、本発明の移動体通信システムでは、携帯電話機が、報知情報を受信することが可能な待ち受け状態や、共通チャネル使用時だけでなく、個別チャネル使用時にセルを移動した場合にも、ユーザに対して正しいＨＳＤＰＡ対応セル在圏、Ｅ−ＤＣＨ対応セル在圏の情報を通知することが可能となる。
【発明の効果】
【００１８】
本発明は、上記のような構成及び動作とすることで、携帯電話機が、報知情報を受信することが可能な待ち受け状態や共通チャネル使用時だけでなく、個別チャネル使用時にセルを移動した場合にも、ユーザに対して正しいＨＳＤＰＡ対応セル在圏、Ｅ−ＤＣＨ対応セル在圏の情報を通知することができるという効果が得られる。
【発明を実施するための最良の形態】
【００１９】
次に、本発明の実施例について図面を参照して説明する。図１は本発明の一実施例による移動体通信システムの構成例を示すブロック図である。図１には、移動体通信システムとして、携帯電話システムを示しており、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）（Ｗ−ＣＤＭＡ：Ｗｉｄｅｂａｎｄ−Ｃｏｄｅ  Ｄｉｖｉｓｉｏｎ  Ｍｕｌｔｉｐｌｅ  Ａｃｃｅｓｓ）のシステム構成例を示している。【００２０】
図１において、携帯電話システム１００は携帯電話機１と、携帯電話基地局装置２と、無線ネットワーク制御装置（ＲＮＣ：Ｒａｄｉｏ  Ｎｅｔｗｏｒｋ  Ｃｏｎｔｒｏｌｌｅｒ）３と、コアネットワーク（ＣＮ：Ｃｏｒｅ  Ｎｅｔｗｏｒｋ）４とから構成されている。【００２１】
携帯電話システム１００においては、ユーザの携帯電話機１、携帯電話基地局装置２、携帯電話基地局装置２を統括制御するために無線ネットワーク制御装置３が接続されている。また、無線ネットワーク制御装置３には、位置登録の制御や呼制御、ユーザ情報を管理するコアネットワーク４が接続されている。携帯電話基地局装置２がカバーすることが可能な範囲をセルという。【００２２】
図２は本発明の一実施例で用いる無線インタフェースのプロトコルアーキテクチャを示す図である。図２には、Ｗ−ＣＤＭＡのシステムで想定されている無線インタフェースのプロトコルアーキテクチャを示している。【００２３】
無線リソースを制御するＲＲＣ（Ｒａｄｉｏ  Ｒｅｓｏｕｒｃｅ  Ｃｏｎｔｒｏｌ）は、上位レイヤへデータ伝送サービスを提供するＲＬＣ（Ｒａｄｉｏ  Ｌｉｎｋ  Ｌａｙｅｒ）とＲＬＣへ論理チャネルの伝送や無線リソースの割り当てを行うＭＡＣ（Ｍｅｄｉｕｍ  Ａｃｃｅｓｓ  Ｃｏｎｔｒｏｌ）、そしてトランスポートチャネルによる無線伝送や無線品質等を測定するＰＨＹ（物理レイヤー）へ接続される。【００２４】
報知情報はＲＲＣ（レイヤ３）管理のメッセージのため、“Ｓｙｓｔｅｍ  Ｉｎｆｏｒｍａｔｉｏｎ  Ｂｌｏｃｋ  Ｔｙｐｅ  ５”（もしくは“Ｓｙｓｔｅｍ  Ｉｎｆｏｒｍａｔｉｏｎ  Ｂｌｏｃｋ  Ｔｙｐｅ  ５ｂｉｓ”）に、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、Ｅ−ＤＣＨ（Ｅｎｈａｎｃｅｄ−Ｄｅｔｅｃｔｅｄ  Ｃｈａｎｎｅｌ）対応セル在圏を識別するＨＳＤＰＡ  Ｃｅｌｌ  ＩｎｄｉｃａｔｏｒやＥ−ＤＣＨ  Ｃｅｌｌ  Ｉｎｄｉｃａｔｏｒが含まれていた場合、その情報をＲＲＣからアプリケーション層へ渡すことによって、結果的に画面上のピクト表示という形で携帯電話機１のユーザへ通知されることになる。【００２５】
図３は図１の携帯電話機１の構成例を示すブロック図である。図３において、携帯電話機１はＣＰＵ（中央処理装置）１１と、ＣＰＵ１１が実行する制御プログラム１２ａを格納するメインメモリ１２と、ＣＰＵ１１が制御プログラム１２ａを実行する際に作業領域等として使用する記憶部１３と、表示部１４と、無線通信部１５と、アンテナ１６とを備えている。【００２６】
記憶部１３は電池残量や電波受信状態、及びＨＳＤＰＡ対応セル在圏、Ｅ−ＤＣＨ対応セル在圏等を示すためのピクト（ｐｉｃｔｏｇｒａｐｈ：絵文字または絵を使った図表）のデータを格納するピクト格納領域１３１を備えている。尚、携帯電話機１においては、ＣＰＵ１１、メインメモリ１２、記憶部１３、表示部１４、無線通信部１５がそれぞれ内部バス１１０に接続されている。また、図３では携帯電話機１の本発明に関する部分のみを図示しており、音声入出力部等の他の部分についてはその図示を省略している。【００２７】
図４は図１の無線ネットワーク制御装置３の構成例を示すブロック図である。図４において、無線ネットワーク制御装置３はＣＰＵ３１と、ＣＰＵ３１が実行する制御プログラム３２ａを格納するメインメモリ３２と、ＣＰＵ３１が制御プログラム３２ａを実行する際に作業領域等として使用する記憶部３３と、通信制御部３４とを備えている。【００２８】
記憶部３３は少なくとも携帯電話基地局装置２がＨＳＤＰＡ対応、Ｅ−ＤＣＨ対応かどうかを示す携帯電話基地局情報を格納する携帯電話基地局情報格納領域３３１を備えている。尚、無線ネットワーク制御装置３においては、ＣＰＵ３１、メインメモリ３２、記憶部３３、通信制御部３４がそれぞれ内部バス３１０に接続されている。また、図４では無線ネットワーク制御装置３の本発明に関する部分のみを図示しており、携帯電話機１の位置登録処理、携帯電話機１の無線環境の測定結果に対する処理等の他の部分についてはその図示を省略している。【００２９】
図５は図１の携帯電話機１へのＨＳＤＰＡ対応セル在圏及びＥ−ＤＣＨ対応セル在圏のピクト表示例を示す図である。図５においては、ＨＳＤＰＡ対応セル在圏を“Ｈ”と楕円との組み合わせで表示し、Ｅ−ＤＣＨ対応セル在圏を“Ｅ”と楕円との組み合わせで表示している。【００３０】
図６〜図２０は本発明の一実施例によるＲｅｃｏｎｆｉｇｕｒａｔｉｏｎメッセージのフォーマット例を示す図である。図６〜図２０において、本実施例では、ＲｅｃｏｎｆｉｇｕｒａｔｉｏｎメッセージにＨＳＤＰＡ対応セル在圏の情報としてＨＳＤＰＡ  Ｃｅｌｌ  Ｉｎｄｉｃａｔｏｒを組み込み、Ｅ−ＤＣＨ対応セル在圏の情報としてＥ−ＤＣＨ  Ｃｅｌｌ  Ｉｎｄｉｃａｔｏｒを組み込んでいる。【００３１】
図６〜図８は“ＲＡＤＩＯ  ＢＥＡＲＥＲ  ＳＥＴＵＰ”のフォーマット例を示し、図９は“ＰＨＹＳＩＣＡＬ  ＣＨＡＮＮＥＬ  ＲＥＣＯＮＦＩＧＵＲＡＴＩＯＮ”のフォーマット例を示し、図１０及び図１１は“ＴＲＡＮＳＰＯＲＴ  ＣＨＡＮＮＥＬ  ＲＥＣＯＮＦＩＧＵＲＡＴＩＯＮ”のフォーマット例を示し、図１２〜図１４は“ＲＡＤＩＯ  ＢＥＡＲＥＲ  ＲＥＣＯＮＦＩＧＵＲＡＴＩＯＮ”のフォーマット例を示し、図１５及び図１６は“ＣＥＬＬ  ＵＰＤＡＴＥ  ＣＯＮＦＩＲＭ”のフォーマット例を示し、図１７〜図１９は“ＨＡＮＤＯＶＥＲ  Ｔ０  ＵＴＲＡＮ  ＣＯＭＭＡＮＤのフォーマット例を示している。【００３２】
図２０〜図２３は本発明の一実施例による携帯電話システムのセル在圏表示方法を説明するためのシーケンスチャートである。これら図１〜図１０を参照して本発明の一実施例による携帯電話システムのセル在圏表示方法について説明する。尚、図７〜図１０に示す携帯電話機１及び無線ネットワーク制御装置３の処理は携帯電話機１及び無線ネットワーク制御装置３各々のＣＰＵ１１，３１が制御プログラム１２ａ，３２ａを実行することで実現される。【００３３】
移動体通信システムでは、ユーザに対し、今、ユーザがＨＳＤＰＡやＥ−ＤＣＨ（ＨＳＵＰＡ：Ｈｉｇｈ  Ｓｐｅｅｄ  Ｕｐｌｉｎｋ  Ｐａｃｋｅｔ  Ａｃｃｅｓｓ）対応のセルに在圏しているのかどうかを判別するインディケータ（ｉｎｄｉｃａｔｏｒ）として報知情報（“Ｓｙｓｔｅｍ  Ｉｎｆｏｒｍａｔｉｏｎ  Ｂｌｏｃｋ  Ｔｙｐｅ  ５”、もしくは“Ｓｙｓｔｅｍ  Ｉｎｆｏｒｍａｔｉｏｎ  Ｂｌｏｃｋ  Ｔｙｐｅ  ５ｂｉｓ”）によってＨＳＤＰＡ  Ｃｅｌｌ  Ｉｎｄｉｃａｔｏｒ、Ｅ−ＤＣＨ  Ｃｅｌｌ  Ｉｎｄｉｃａｔｏｒが通知される（上記の非特許文献１参照）。【００３４】
携帯電話機１はこのインディケータを判別して、表示部１４の画面上にＨＳＤＰＡ対応セル在圏なのか、Ｅ−ＤＣＨ対応セル在圏なのかを表示することによってユーザに対してそれらを通知することとなる。【００３５】
しかしながら、個別チャネル（ＤＣＨ：Ｄｅｔｅｃｔｅｄ  Ｃｈａｎｎｅｌ）の使用時、携帯電話機１は報知情報の受信ができないため、ハンドオーバ等で個別チャネルを保持しつつ、セルを移動した場合、移動先のセルがＨＳＤＰＡやＥ−ＤＣＨが対応したセルなのかどうかを判断することができず、表示部１４の画面上に適切なピクトを表示することができないという問題がある。【００３６】
本実施例では、この問題を解決するために以下のような動作を行っている。まず始めに、例えば携帯電話機１がハンドオーバで個別チャネルを保持しつつ、セルを移動した場合について説明する。【００３７】
無線ネットワーク制御装置３はハンドオーバ元の携帯電話基地局装置２から携帯電話機１のハンドオーバが通知されると、携帯電話基地局情報格納領域３３１内のハンドオーバ先の携帯電話基地局装置２の携帯電話基地局情報を読出し、その携帯電話基地局装置２がＨＳＤＰＡ対応、Ｅ−ＤＣＨ対応かどうかを判定する。【００３８】
無線ネットワーク制御装置３はハンドオーバ先の携帯電話基地局装置２がＨＳＤＰＡ対応、Ｅ−ＤＣＨ対応と判定すると、“Ｐｈｙｓｉｃａｌ  Ｃｈａｎｎｅｌ  Ｒｅｃｏｎｆｉｇｕｒａｔｉｏｎ”にて“ＨＳＤＰＡ  Ｃｅｌｌ  Ｉｎｄｉｃａｔｏｒ  ＯＮ”、“Ｅ−ＤＣＨ  Ｃｅｌｌ  Ｉｎｄｉｃａｔｏｒ  ＯＮ”を携帯電話機１に通知する（図２０のａ１）。【００３９】
携帯電話機１では“Ｐｈｙｓｉｃａｌ  Ｃｈａｎｎｅｌ  Ｒｅｃｏｎｆｉｇｕｒａｔｉｏｎ”を受信すると、ＲＲＣにて“ＨＳＤＰＡ  Ｃｅｌｌ  Ｉｎｄｉｃａｔｏｒ”、“Ｅ−ＤＣＨ  Ｃｅｌｌ  Ｉｎｄｉｃａｔｏｒ”を抽出し、その抽出結果をアプリケーションに伝達する（図２０のａ２）。【００４０】
携帯電話機１のアプリケーションでは、“ＨＳＤＰＡ  Ｃｅｌｌ  Ｉｎｄｉｃａｔｏｒ  ＯＮ”、“Ｅ−ＤＣＨ  Ｃｅｌｌ  Ｉｎｄｉｃａｔｏｒ  ＯＮ”であるので、ＨＳＤＰＡ対応セル在圏、Ｅ−ＤＣＨ対応セル在圏を示すためのピクトデータをピクト格納領域１３１から読出して表示部１４に画面表示（ピクト表示）する（図２０のａ３）。【００４１】
次に、報知情報（“Ｓｙｓｔｅｍ  Ｉｎｆｏｒｍａｔｉｏｎ  Ｂｌｏｃｋ  Ｔｙｐｅ  ５”、もしくは“Ｓｙｓｔｅｍ  Ｉｎｆｏｒｍａｔｉｏｎ  Ｂｌｏｃｋ  Ｔｙｐｅ  ５ｂｉｓ”）によって“ＨＳＤＰＡ  Ｃｅｌｌ  Ｉｎｄｉｃａｔｏｒ”、“Ｅ−ＤＣＨ  Ｃｅｌｌ  Ｉｎｄｉｃａｔｏｒ”が通知されるケースに関して図２１を用いて説明する。【００４２】
ユーザが携帯電話機１の電源を入れた時（Ｐｏｗｅｒ  ＯＮ）（図２１のｂ１）、まず報知情報によって、共通チャネルの設定情報や周辺のセルを測定するための情報等、通信確立に必要な情報を受信し、それらの情報を受信し終わった後（図２１のｂ２〜ｂ６）、ネットワークに対して位置登録［位置登録（ＡＴＴＡＣＨ）プログラムシージャ］を要求する（図２１のｂ７）。その後に、携帯電話機１は待ち受け状態となる（図２１のｂ８）。【００４３】
ここで、通信確立に必要な情報とは、“Ｍａｓｔｅｒ  Ｉｎｆｏｒｍａｔｉｏｎ  Ｂｌｏｃｋ”（図２１のｂ２）、“Ｓｙｓｔｅｍ  Ｉｎｆｏｒｍａｔｉｏｎ  Ｂｌｏｃｋ  Ｔｙｐｅ１”（図２１のｂ３）、“Ｓｙｓｔｅｍ  Ｉｎｆｏｒｍａｔｉｏｎ  Ｂｌｏｃｋ  Ｔｙｐｅ３”（図２１のｂ４）、“Ｓｙｓｔｅｍ  Ｉｎｆｏｒｍａｔｉｏｎ  Ｂｌｏｃｋ  Ｔｙｐｅ５（・ＨＳＤＰＡ  Ｃｅｌｌ  Ｉｎｄｉｃａｔｏｒ＝ｔｒｕｅ  ｏｒ  ｆａｌｓｅ，・ＨＳＵＰＡ  Ｃｅｌｌ  Ｉｎｄｉｃａｔｏｒ＝ｔｒｕｅ  ｏｒ  ｆａｌｓｅ）”（図２１のｂ５）、“Ｓｙｓｔｅｍ  Ｉｎｆｏｒｍａｔｉｏｎ  Ｂｌｏｃｋ  Ｔｙｐｅ１１”（図２１のｂ６）等である。【００４４】
携帯電話機１は、それらの報知情報の受信時に、“Ｓｙｓｔｅｍ  Ｉｎｆｏｒｍａｔｉｏｎ  Ｂｌｏｃｋ  Ｔｙｐｅ５（ｂｉｓ）”を受信した際に（図２１のｂ５）、“ＨＳＤＰＡ  Ｃｅｌｌ  Ｉｎｄｉｃａｔｏｒ”に“Ｔｒｕｅ”が設定されていれば、表示部１４の画面上に「ＨＳＤＰＡ対応セル在圏」のピクト表示を、“Ｅ−ＤＣＨ  Ｃｅｌｌ  Ｉｎｄｉｃａｔｏｒ”に“Ｔｒｕｅ”が設定されていれば、表示部１４の画面上に「Ｅ−ＤＣＨ（ＨＳＵＰＡ）対応セル在圏」のピクト表示をそれぞれ行う。尚、“ＨＳＤＰＡ  Ｃｅｌｌ  Ｉｎｄｉｃａｔｏｒ”と“Ｅ−ＤＣＨ  Ｃｅｌｌ  Ｉｎｄｉｃａｔｏｒ”とは独立に扱うことができる。【００４５】
報知情報は電源をオンした場合だけではなく、待ち受け状態や共通チャネル通信時にセルを移動した際等、必要な箇所で受信することができる。報知情報はセル毎に報知される情報のため、報知情報を受信することができれば携帯電話機１（ユーザ）は、在圏セルがＨＳＤＰＡやＨＳＵＰＡに対応したセルであるのか否かを判断することができる。【００４６】
しかしながら、報知情報は個別チャネル通信時に受信することができないため、個別チャネル通信時にハンドオーバ等でセル移動した場合、移動先のセルで報知情報を受信することができないため、“Ｓｙｓｔｅｍ  Ｉｎｆｏｒｍａｔｉｏｎ  Ｂｌｏｃｋ  Ｔｙｐｅ５（ｂｉｓ）”の“ＨＳＤＰＡ  Ｃｅｌｌ  Ｉｎｄｉｃａｔｏｒ”、“Ｅ−ＤＣＨ  Ｃｅｌｌ  Ｉｎｄｉｃａｔｏｒ”を受信することができない（図２２のｃ１〜ｃ１３参照）。【００４７】
つまり、ユーザが携帯電話機１の電源を入れた時（Ｐｏｗｅｒ  ＯＮ）（図２２のｃ１）、まず報知情報によって、共通チャネルの設定情報や周辺のセルを測定するための情報等、通信確立に必要な情報を受信し、それらの情報を受信し終わった後（図２２のｃ２〜ｃ６）、ネットワーク（無線ネットワーク制御装置３）に対して位置登録［位置登録（ＡＴＴＡＣＨ）プログラムシージャ］を要求する（図２２のｃ７）。その後に、携帯電話機１は待ち受け状態（Ｉｄｌｅ状態）となる（図２２のｃ８）。【００４８】
ここで、通信確立に必要な情報とは、“Ｍａｓｔｅｒ  Ｉｎｆｏｒｍａｔｉｏｎ  Ｂｌｏｃｋ”（図２２のｃ２）、“Ｓｙｓｔｅｍ  Ｉｎｆｏｒｍａｔｉｏｎ  Ｂｌｏｃｋ  Ｔｙｐｅ１”（図２２のｃ３）、“Ｓｙｓｔｅｍ  Ｉｎｆｏｒｍａｔｉｏｎ  Ｂｌｏｃｋ  Ｔｙｐｅ３”（図２２のｃ４）、“Ｓｙｓｔｅｍ  Ｉｎｆｏｒｍａｔｉｏｎ  Ｂｌｏｃｋ  Ｔｙｐｅ５（・ＨＳＤＰＡ  Ｃｅｌｌ  Ｉｎｄｉｃａｔｏｒ＝Ｔｒｕｅ，・ＨＳＵＰＡ  Ｃｅｌｌ  Ｉｎｄｉｃａｔｏｒ＝Ｔｒｕｅ）”（図２２のｃ５）、“Ｓｙｓｔｅｍ  Ｉｎｆｏｒｍａｔｉｏｎ  Ｂｌｏｃｋ  Ｔｙｐｅ１１”（図２２のｃ６）等である。【００４９】
この後に、携帯電話機１ではＡＭＲ（Ａｄａｐｔｉｖｅ  Ｍｕｌｔｉ  Ｒａｔｅ）（音声）発信プログラムシージャ（図２２のｃ９）、個別チャネル（ＤＣＨ：ＤＣＨ）割り当て（通信）（図２２のｃ１０）、ＡＭＲ（音声）通信中（セルＡ）（図２２のｃ１１）がセルＡで行われ、“Ｐｈｙｓｉｃａｌ  Ｃｈａｎｎｅｌ  Ｒｅｃｏｎｆｉｇｕｒａｔｉｏｎ”（図２２のｃ１２）を受信し、セルＢへ遷移した後、“Ｐｈｙｓｉｃａｌ  Ｃｈａｎｎｅｌ  Ｒｅｃｏｎｆｉｇｕｒａｔｉｏｎ  Ｃｏｍｐｌｅｔｅ”を返し（図２２のｃ１３）、ＡＭＲ（音声）通信中（セルＢ）（図２２のｃ１４）が行われる。【００５０】
携帯電話機１ではセルＢに遷移するが、個別チャネルで通信中のため、報知情報を受信することができず、結果的にＨＳＤＰＡ／Ｅ−ＤＣＨ  Ｃｅｌｌ  Ｉｎｄｉｃａｔｏｒを受信することができない。【００５１】
本実施例では、この問題を解決するために、全てのＲｅｃｏｎｆｉｇｕｒａｔｉｏｎメッセージに、“ＨＳＤＰＡ  Ｃｅｌｌ  Ｉｎｄｉｃａｔｏｒ”、“Ｅ−ＤＣＨ  Ｃｅｌｌ  Ｉｎｄｉｃａｔｏｒ”を含めた形（図６参照）で携帯電話機１に通知することとする。Ｒｅｃｏｎｆｉｇｕｒａｔｉｏｎメッセージは、携帯電話機１（ＲＲＣ）の状態を遷移する場合や、物理チャネルやトランスポートチャネル、論理チャネル等の無線チャネルのパラメータ変更を実施する際、ハンドオーバを指定する際に、ネットワーク（無線ネットワーク制御装置３）から携帯電話機１に通知されるメッセージの総称である。【００５２】
現在、３ＧＰＰで規定されているＲｅｃｏｎｆｉｇｕｒａｔｉｏｎメッセージとしては、“Ｒａｄｉｏ  Ｂｅａｒｅｒ  Ｓｅｔｕｐ”（図６〜図８参照）、“Ｐｈｙｓｉｃａｌ  Ｃｈａｎｎｅｌ  Ｒｅｃｏｎｆｉｇｕｒａｔｉｏｎ”（図９参照）、“Ｔｒａｎｓｐｏｒｔ  Ｃｈａｎｎｅｌ  Ｒｅｃｏｎｆｉｇｕｒａｔｉｏｎ”（図１０及び図１１参照）、“Ｒａｄｉｏ  Ｂｅａｒｅｒ  Ｒｅｃｏｎｆｉｇｕｒａｔｉｏｎ”（図１２〜図１４参照）、“Ｃｅｌｌ  Ｕｐｄａｔｅ  Ｃｏｎｆｉｒｍ”（図１５及び図１６参照）、“Ｈａｎｄｏｖｅｒ  ｔｏ  ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  Ｃｏｍｍａｎｄ”（図１７〜図１９参照）等がある。【００５３】
上記のような各Ｒｅｃｏｎｆｉｇｕｒａｔｉｏｎメッセージに“ＨＳＤＰＡ  Ｃｅｌｌ  Ｉｎｄｉｃａｔｏｒ”、“Ｅ−ＤＣＨ  Ｃｅｌｌ  Ｉｎｄｉｃａｔｏｒ”の情報要素を入れるためには、メッセージ拡張が必要である。しかしながら、ＡＳＮ．１（Ａｂｓｔｒａｃｔ  Ｓｙｎｔａｘ  Ｎｏｔａｔｉｏｎ．１）の記述上、Ｅｘｔｅｎｓｉｏｎの形で情報要素を追加することによって、Ｂａｃｋｗａｒｄ  Ｃｏｍｐａｔｉｂｉｌｉｔｙを保った形でメッセージ拡張を実施することができる。【００５４】
上記の通り、“ＨＳＤＰＡ  Ｃｅｌｌ  Ｉｎｄｉｃａｔｏｒ”、“Ｅ−ＤＣＨ  Ｃｅｌｌ  Ｉｎｄｉｃａｔｏｒ”の追加のメッセージ拡張がなされた場合のシーケンスを図２３に示す。図２３において、個別チャネル通信中に携帯電話機１がセルＡからセルＢへ移動した場合、本実施例では、セルＢにおける“ＨＳＤＰＡ  Ｃｅｌｌ  Ｉｎｄｉｃａｔｏｒ”、“Ｅ−ＤＣＨ  Ｃｅｌｌ  Ｉｎｄｉｃａｔｏｒ”を“Ｐｈｙｓｉｃａｌ  Ｃｈａｎｎｅｌ  Ｒｅｃｏｎｆｉｇｕｒａｔｉｏｎ”メッセージから判別することが可能となり（図２３のｄ１２，ｄ１３）、結果的に携帯電話機１の表示部１４の画面上に、在圏セルがＨＳＤＰＡやＥ−ＤＣＨ（ＨＳＵＰＡ）対応のセルなのか否かのピクトを表示することができる。【００５５】
つまり、ユーザが携帯電話機１の電源を入れた時（Ｐｏｗｅｒ  ＯＮ）（図２２のｄ１）、まず報知情報によって、共通チャネルの設定情報や周辺のセルを測定するための情報等、通信確立に必要な情報を受信し、それらの情報を受信し終わった後（図２３のｄ２〜ｄ６）、ネットワーク（無線ネットワーク制御装置３）に対して位置登録［位置登録（ＡＴＴＡＣＨ）プログラムシージャ］を要求する（図２３のｄ７）。その後に、携帯電話機１は待ち受け状態（Ｉｄｌｅ状態）となる（図２３のｄ８）。【００５６】
ここで、通信確立に必要な情報とは、“Ｍａｓｔｅｒ  Ｉｎｆｏｒｍａｔｉｏｎ  Ｂｌｏｃｋ”（図２３のｄ２）、“Ｓｙｓｔｅｍ  Ｉｎｆｏｒｍａｔｉｏｎ  Ｂｌｏｃｋ  Ｔｙｐｅ１”（図２３のｄ３）、“Ｓｙｓｔｅｍ  Ｉｎｆｏｒｍａｔｉｏｎ  Ｂｌｏｃｋ  Ｔｙｐｅ３”（図２３のｄ４）、“Ｓｙｓｔｅｍ  Ｉｎｆｏｒｍａｔｉｏｎ  Ｂｌｏｃｋ  Ｔｙｐｅ５（・ＨＳＤＰＡ  Ｃｅｌｌ  Ｉｎｄｉｃａｔｏｒ＝Ｔｒｕｅ，・Ｅ−ＤＣＨ  Ｃｅｌｌ  Ｉｎｄｉｃａｔｏｒ＝Ｔｒｕｅ）”（図２３のｄ５）、“Ｓｙｓｔｅｍ  Ｉｎｆｏｒｍａｔｉｏｎ  Ｂｌｏｃｋ  Ｔｙｐｅ１１”（図２３のｄ６）等である。【００５７】
この後に、携帯電話機１ではＡＭＲ（音声）発信プログラムシージャ（図２３のｄ９）、個別チャネル（ＤＣＨ）割り当て（通信）（図２３のｄ１０）、ＡＭＲ（音声）通信中（セルＡ）（図２３のｄ１１）が行われた後、“Ｐｈｙｓｉｃａｌ  Ｃｈａｎｎｅｌ  Ｒｅｃｏｎｆｉｇｕｒａｔｉｏｎ（・セルＢへ遷移、・ＨＳＤＰＡ  Ｃｅｌｌ  Ｉｎｄｉｃａｔｏｒ＝Ｔｒｕｅ、・Ｅ−ＤＣＨ  Ｃｅｌｌ  Ｉｎｄｉｃａｔｏｒ＝Ｆａｌｓｅ）”を受信すると（図２３のｄ１２）、“Ｐｈｙｓｉｃａｌ  Ｃｈａｎｎｅｌ  Ｒｅｃｏｎｆｉｇｕｒａｔｉｏｎ  Ｃｏｍｐｌｅｔｅ”を返し（図２３のｄ１３）、ＡＭＲ（音声）通信中（セルＢ）（図２３のｄ１４）が行われる。【００５８】
携帯電話機１では、個別チャネル通信状態でセルＢに遷移するが、Ｒｅｃｏｎｆｉｇｕｒａｔｉｏｎメッセージで、“ＨＳＤＰＡ／Ｅ−ＤＣＨ  Ｃｅｌｌ  Ｉｎｄｉｃａｔｏｒ”が通知されるため、セルＢがＨＳＤＰＡ、Ｅ−ＤＣＨ対応セルなのか否かを判断することができる。【００５９】
本実施例では、今回、ＨＳＤＰＡ、Ｅ−ＤＣＨ（ＨＳＵＰＡ）のＣｅｌｌ  Ｉｎｄｉｃａｔｏｒを取り上げているが、これらＨＳＤＰＡ、Ｅ−ＤＣＨ（ＨＳＵＰＡ）のサービスに限らず、ネットワークが携帯電話機１（ユーザ）に対し、各セルのサービス対応情報を通知するために利用することも可能である。【００６０】
この出願は、２００６年８月２３日に出願された日本出願特願２００６−２２５９６６を基礎とする優先権を主張し、その開示の全てをここに取り込む。
【図面の簡単な説明】
【００６１】
【図１】本発明の一実施例による移動体通信システムの構成例を示すブロック図である。
【図２】本発明の一実施例で用いる無線インタフェースのプロトコルアーキテクチャを示す図である。
【図３】図１の携帯電話機の構成例を示すブロック図である。
【図４】図１の無線ネットワーク制御装置の構成例を示すブロック図である。
【図５】図１の携帯電話機へのＨＳＤＰＡ対応セル在圏及びＥ−ＤＣＨ対応セル在圏のピクト表示例を示す図である。
【図６】本発明の一実施例によるＲｅｃｏｎｆｉｇｕｒａｔｉｏｎメッセージのフォーマット例を示す図である。
【図７】本発明の一実施例によるＲｅｃｏｎｆｉｇｕｒａｔｉｏｎメッセージのフォーマット例を示す図である。
【図８】本発明の一実施例によるＲｅｃｏｎｆｉｇｕｒａｔｉｏｎメッセージのフォーマット例を示す図である。
【図９】本発明の一実施例によるＲｅｃｏｎｆｉｇｕｒａｔｉｏｎメッセージのフォーマット例を示す図である。
【図１０】本発明の一実施例によるＲｅｃｏｎｆｉｇｕｒａｔｉｏｎメッセージのフォーマット例を示す図である。
【図１１】本発明の一実施例によるＲｅｃｏｎｆｉｇｕｒａｔｉｏｎメッセージのフォーマット例を示す図である。
【図１２】本発明の一実施例によるＲｅｃｏｎｆｉｇｕｒａｔｉｏｎメッセージのフォーマット例を示す図である。
【図１３】本発明の一実施例によるＲｅｃｏｎｆｉｇｕｒａｔｉｏｎメッセージのフォーマット例を示す図である。
【図１４】本発明の一実施例によるＲｅｃｏｎｆｉｇｕｒａｔｉｏｎメッセージのフォーマット例を示す図である。
【図１５】本発明の一実施例によるＲｅｃｏｎｆｉｇｕｒａｔｉｏｎメッセージのフォーマット例を示す図である。
【図１６】本発明の一実施例によるＲｅｃｏｎｆｉｇｕｒａｔｉｏｎメッセージのフォーマット例を示す図である。
【図１７】本発明の一実施例によるＲｅｃｏｎｆｉｇｕｒａｔｉｏｎメッセージのフォーマット例を示す図である。
【図１８】本発明の一実施例によるＲｅｃｏｎｆｉｇｕｒａｔｉｏｎメッセージのフォーマット例を示す図である。
【図１９】本発明の一実施例によるＲｅｃｏｎｆｉｇｕｒａｔｉｏｎメッセージのフォーマット例を示す図である。
【図２０】本発明の一実施例による携帯電話システムのセル在圏表示方法を説明するためのシーケンスチャートである。
【図２１】本発明の一実施例による携帯電話システムのセル在圏表示方法を説明するためのシーケンスチャートである。
【図２２】本発明の一実施例による携帯電話システムのセル在圏表示方法を説明するためのシーケンスチャートである。
【図２３】本発明の一実施例による携帯電話システムのセル在圏表示方法を説明するためのシーケンスチャートである。
【符号の説明】
【００６２】
１    携帯電話機
２    携帯電話基地局装置
３    無線ネットワーク制御装置
４    コアネットワーク
１１，３１    ＣＰＵ
１２，３２    メインメモリ
１２ａ，３２ａ    制御プログラム
１３，３３    記憶部
１４    表示部
１５    無線通信部
１６    アンテナ
３４    通信制御部
１００    携帯電話システム
１１０，３１０    内部バス
【図１】
2008023723.tif 000003
【図２】
2008023723.tif 000004
【図３】
2008023723.tif 000005
【図４】
2008023723.tif 000006
【図５】
2008023723.tif 000007
【図６】
2008023723.tif 000008
【図７】
2008023723.tif 000009
【図８】
2008023723.tif 000010
【図９】
2008023723.tif 000011
【図１０】
2008023723.tif 000012
【図１１】
2008023723.tif 000013
【図１２】
2008023723.tif 000014
【図１３】
2008023723.tif 000015
【図１４】
2008023723.tif 000016
【図１５】
2008023723.tif 000017
【図１６】
2008023723.tif 000018
【図１７】
2008023723.tif 000019
【図１８】
2008023723.tif 000020
【図１９】
2008023723.tif 000021
【図２０】
2008023723.tif 000022
【図２１】
2008023723.tif 000023
【図２２】
2008023723.tif 000024
【図２３】
2008023723.tif 000025
【国際調査報告】
2008023723.tif 000026
2008023723.tif 000027
2008023723.tif 000028
2008023723.tif 000029